(57)【要約】【課題】高さが抑えられて屋根の体裁が良好に保たれる雪止め板を具備する構成でありながらも、雪止め板が良好な雪止め効果を発揮する雪止め金具、並びにこの雪止め金具が屋根に設備されている住宅を提供すること。【解決手段】屋根Ｒ勾配の上方側に向かって傾斜しながら屋根Ｒ上に立ち上がる傾斜立板部５と、この傾斜立板部５の上端部から屋根Ｒ勾配の上方側に向かって屋根Ｒ上面と略平行に延設突出する延設板部６と、この延設板部６の屋根Ｒ勾配上方側の突出先端から屋根Ｒ勾配の上方側に向かって傾斜しながら屋根Ｒ上に立ち上がる第二傾斜立板部７とから成る雪止め板４を備えた雪止め金具Ａ、並びにこの雪止め金具Ａが屋根Ｒに設備されている住宅。【選択図】図１
2018188798.tif 000002
【特許請求の範囲】
【請求項１】
屋根材や屋根下地材に取り付ける取付脚部の先端部に、雪止め板が設けられている雪止め金具において、前記雪止め板は、屋根勾配の上方側に向かって傾斜しながら屋根上に立ち上がる傾斜立板部と、この傾斜立板部の上端部から屋根勾配の上方側に向かって屋根上面と平行に延設突出するか、若しくは傾斜立板部の上端部から屋根勾配の上方側に向かって傾斜立板部の立ち上がり傾斜角度より緩い傾斜角度で延設突出する延設板部とから成ることを特徴とする雪止め金具。
【請求項２】
前記雪止め板は、前記延設板部の屋根勾配上方側の突出先端から屋根勾配の上方側に向かって傾斜しながら屋根上に立ち上がる第二傾斜立板部を備えていることを特徴とする請求項１記載の雪止め金具。
【請求項３】
前記第二傾斜立板部は、前記傾斜立板部の立ち上がり傾斜角度より緩い傾斜角度で立ち上がるように構成されていることを特徴とする請求項２記載の雪止め金具。
【請求項４】
前記雪止め板は、屋根上面に対する高さ寸法が２０ｍｍ以下に設定されていることを特徴とする請求項１〜３のいずれか１項に記載の雪止め金具。
【請求項５】
前記雪止め板は、一枚の金属板が折曲形成されて成ることを特徴とする請求項１〜４のいずれか１項に記載の雪止め金具。
【請求項６】
屋根に、前記請求項１〜５のいずれか１項に記載の雪止め金具が設備されていることを特徴とする住宅。
【発明の詳細な説明】
【技術分野】
【０００１】
本発明は、屋根用の雪止め金具、並びに雪止め金具が屋根に設備されている住宅に関するものである。
【背景技術】
【０００２】
従来から、屋根材や屋根下地材に取り付け可能な取付脚部に、雪止めアングルや羽根板などの雪止め板が設けられた屋根用の雪止め金具が実施されている（例えば、特許文献１参照）。
【先行技術文献】
【特許文献】
【０００３】
【特許文献１】特開平１１−９３３５５号公報
【発明の概要】
【発明が解決しようとする課題】
【０００４】
このような従来の雪止め金具は、屋根の上面に対して略垂直に立上がる雪止め板30に高さがあるため、住宅などの建物の周囲から屋根の軒先を見上げた際にこの雪止め板30が目立って屋根の体裁を損なう要因となっている。
【０００５】
出願人は、この体裁不良の問題を何とか解消できないかと思案し、先ず、図８（ａ）に示すように、雪止め板30の高さを低くすることを試みたが、この構成では、雪止め部30の強度が不足してしまった。
【０００６】
そこで、図８（ｂ）に示すように、雪止め板30に補強リブ31を形成して強度不足解消を試みたが、この補強リブ31が目立って体裁不良を招いてしまった。
【０００７】
また、この図８（ａ），（ｂ）のように、雪止め板30の高さを低くしてしまうと、雪止め効果も低下してしまう。
【０００８】
次に、単純に雪止め板30を低くしようということから発想の転換を図り、図８（ｃ）に示すように、雪止め板30の上側部分を屋根勾配の上方側へ向けて傾斜折曲させることによって高さを抑えることを試みたが、雪止め板30の下側部分が屋根上面から略垂直に立ち上がっているために、この下側部分が軒先側へ飛び出し目立って見えて体裁不良が解消されるには至らなかった。
【０００９】
本発明は、このような試行錯誤を経て、更に研究・改良を重ねた末に完成したもので、高さが抑えられて屋根の体裁が良好に保たれる雪止め板を具備するものでありながらも、雪止め板が良好な雪止め効果を発揮できる雪止め金具、並びにこの雪止め金具が屋根に設備されている住宅を提供するものである。
【課題を解決するための手段】
【００１０】
添付図面を参照して本発明の要旨を説明する。
【００１１】
屋根材１や屋根下地材２に取り付ける取付脚部３の先端部に、雪止め板４が設けられている雪止め金具Ａにおいて、前記雪止め板４は、屋根Ｒ勾配の上方側に向かって傾斜しながら屋根Ｒ上に立ち上がる傾斜立板部５と、この傾斜立板部５の上端部から屋根Ｒ勾配の上方側に向かって屋根Ｒ上面と平行に延設突出するか、若しくは傾斜立板部５の上端部から屋根Ｒ勾配の上方側に向かって傾斜立板部５の立ち上がり傾斜角度より緩い傾斜角度で延設突出する延設板部６とから成ることを特徴とする雪止め金具に係るものである。
【００１２】
また、前記雪止め板４は、前記延設板部６の屋根Ｒ勾配上方側の突出先端から屋根Ｒ勾配の上方側に向かって傾斜しながら屋根Ｒ上に立ち上がる第二傾斜立板部７を備えていることを特徴とする請求項１記載の雪止め金具に係るものである。
【００１３】
また、前記第二傾斜立板部７は、前記傾斜立板部５の立ち上がり傾斜角度より緩い傾斜角度で立ち上がるように構成されていることを特徴とする請求項２記載の雪止め金具に係るものである。
【００１４】
また、前記雪止め板４は、屋根Ｒ上面に対する高さ寸法が２０ｍｍ以下に設定されていることを特徴とする請求項１〜３のいずれか１項に記載の雪止め金具に係るものである。
【００１５】
また、前記雪止め板４は、一枚の金属板が折曲形成されて成ることを特徴とする請求項１〜４のいずれか１項に記載の雪止め金具に係るものである。
【００１６】
また、屋根Ｒに、前記請求項１〜５のいずれか１項に記載の雪止め金具Ａが設備されていることを特徴とする住宅に係るものである。
【発明の効果】
【００１７】
本発明は上述のように構成したから、建物の周囲から屋根軒先を見上げた際に雪止め板が見えにくく、見えても目立たず、屋根の体裁が良好に保たれることとなり、また、雪止め板が見えにくい構成でありながらも、傾斜立板部と延設板部とにより高さは確保できているので、強度が高く雪止め効果も十分に発揮できる雪止め板を簡易に設計実現可能となる極めて実用性に優れた雪止め金具となる。
【００１８】
また、請求項２記載の発明においては、傾斜立板部と延設板部と第二傾斜立板部とにより雪止め板の高さを良好に確保できているので、強度と雪止め効果が一層向上することになり、しかも第二傾斜立板部によって高さを増している構成でありながらも、この第二傾斜立板部は見えにくく、見えても目立たず、屋根の体裁が良好に保たれるなど、極めて実用性に優れた構成の雪止め金具となる。
【００１９】
また、請求項３記載の発明においては、高い位置に存する第二傾斜立板部が一層見えにくく、見えても一層目立たない極めて実用性に優れた構成の雪止め金具となる。
【００２０】
また、請求項４記載の発明においては、雪止め板が一層見えにくく、見えても一層目立たず、屋根の体裁が極めて良好に保たれる優れた構成の雪止め金具となる。
【００２１】
また、請求項５記載の発明においては、前記作用・効果を確実に発揮する雪止め板を簡易構成にして容易に設計実現可能となる一層実用性に優れた構成の雪止め金具となる。
【００２２】
また、請求項６記載の発明においては、前記作用・効果を発揮する雪止め金具が屋根に設備されていることにより雪止め効果と屋根体裁の良さとが両立された極めて実用性に優れた住宅となる。
【図面の簡単な説明】
【００２３】
【図１】実施例１を示す斜視図である。
【図２】実施例１の雪止め板を示す部分拡大斜視図である。
【図３】実施例１を屋根に取り付けようとする様子を示す概略説明斜視図である。
【図４】実施例１の使用状態（屋根への取付状態）を示す斜視図である。
【図５】実施例１の使用状態（屋根への取付状態）を示す説明側断面図である。
【図６】実施例２の雪止め板を示す部分拡大斜視図である。
【図７】実施例２の使用状態（屋根への取付状態）を示す説明側断面図である。
【図８】本発明を完成するに至るまでの試行錯誤の過程を示した説明図である。
【発明を実施するための形態】
【００２４】
好適と考える本発明の実施形態を、図面に基づいて本発明の作用を示して簡単に説明する。
【００２５】
雪止め板４を屋根Ｒ勾配の下方側（屋根の軒先側）に向けて、取付脚部３を屋根材１や屋根下地材２に取り付けることにより、本発明の雪止め金具Ａを屋根Ｒ上に設置する。
【００２６】
屋根Ｒ上に設置された雪止め金具Ａの雪止め板４は、その傾斜立板部５が屋根Ｒ勾配の上方側に向かって傾斜しながら屋根Ｒ上に立ち上がっていて高さが低く抑えられていると共に、屋根Ｒ勾配の上方側（屋根Ｒの棟側）に傾斜して引っ込んでいる。そのため、この傾斜立板部５は、住宅などの建物の周囲から屋根Ｒの軒先を見上げた際にほとんど見えず、見えても屋根Ｒ勾配と同調する方向に傾斜しているために目立たない。
【００２７】
また、この雪止め板４は、前記傾斜立板部５の上端部から屋根Ｒ勾配の上方側に向かって屋根Ｒ上面と略平行に延設板部６が延設突出しているか、若しくは傾斜立板部５の上端部から屋根Ｒ勾配の上方側に向かって傾斜立板部５の立ち上がり傾斜角度より緩い傾斜角度で延設板部６が延設突出しているが、この延設板部６は、傾斜立板部５よりも屋根Ｒ勾配の上方側に存するために、住宅などの建物の周囲から屋根Ｒの軒先側を見上げた際には傾斜立板部５に隠れて見えにくい。
【００２８】
従って、雪止め板４が屋根Ｒ上で目立って見えることがなく、屋根Ｒの体裁が良好に保たれる。
【００２９】
また、雪止め板４は、傾斜立板部５と延設板部６とよって高さが確保されているので、強度が高く雪止め効果も十分に発揮できる雪止め板４を簡易に設計実現可能である。
【実施例１】
【００３０】
本発明の具体的な実施例１について図１〜図５に基づいて説明する。
【００３１】
本実施例は、横葺屋根Ｒ用の雪止め金具Ａに適用したもので、屋根下地材２に取り付ける取付脚部３の先端部に、雪止め板４が設けられている。
【００３２】
また、取付脚部３は金属製の帯板で構成され、その長さ方向の中ほどが横葺屋根材１の屋根Ｒ勾配方向の両端部（軒側端部と棟側端部）に設けられた接合用折り返し部８に接合させる折り返し状の接合部９に形成されていると共に、この接合部９より取付脚部３の基端側（屋根Ｒ棟側に配する後端側）に、屋根下地材２に釘10止めするための釘孔11が貫通形成されている（図１，図３，図５参照）。尚、この取付脚部３は、本実施例で示した横葺屋根Ｒ取付用に限らず、コロニアル屋根用や瓦屋根用や他の屋根の取付用にも適宜設計変更可能である。また、屋根下地材２にではなく、屋根材１に取り付けられる構成の取付脚部３を採用しても良い。
【００３３】
本実施例の雪止め板４は、一枚の金属板が側面視略Ｌ字状に折曲されて、雪止め機能が発揮される立板部12と、屋根材１上に敷設載置される敷板部13とを有する形状に構成されている。
【００３４】
そして、この敷板部13の基端部（立板部12が存する側と反対側の端部）が、前記取付脚部３の先端部（屋根Ｒ軒先側に配する前端部）に連結固定されることにより、雪止め板４が取付脚部３の先端部に設けられている。図中符号14は敷板部13と取付脚部３とを連結固定するリベットである。
【００３５】
また、本実施例の立板部12は、図２，図５に示すように、屋根Ｒ勾配の上方側に向かって傾斜しながら屋根Ｒ上に立ち上がる傾斜立板部５と、この傾斜立板部５の上端部から屋根Ｒ勾配の上方側に向かって屋根Ｒ上面（屋根材１上面）と略平行に延設突出する延設板部６と、この延設板部６の屋根Ｒ勾配上方側の突出先端から屋根Ｒ勾配の上方側に向かって傾斜しながら屋根Ｒ上に立ち上がる第二傾斜立板部７とから成る形状に折曲形成されている。
【００３６】
具体的には、傾斜立板部５は、前記敷板部13の先端からこの敷板部13に対し６０〜７０度の角度をもって傾斜状態に立ち上がると共に、敷板部13（屋根材１上面）に対し１５ｍｍ程度の立ち上がり高さを有する形状に設定構成されている。
【００３７】
即ち、この傾斜立板部５は、傾斜させたことにより高さが低く抑えられていると共に、上側ほど屋根Ｒ勾配の上方側（屋根Ｒの棟側）に引っ込んでおり、これにより建物（例えば住宅）の周囲から屋根Ｒの軒先を見上げた際にこの傾斜立板部５がほとんど見えず、見えても屋根Ｒ勾配と同調する方向に傾斜しているために目立たなくなるように構成されている。
【００３８】
また、延設板部６は、傾斜立板部５の上端から８〜１０ｍｍ程度の突出長をもって取付脚部３側へ水平突出する（前記敷板部13（屋根材１上面）と平行に突出する）形状に形成されていて、建物の周囲から屋根Ｒの軒先を見上げた際には、たとえ前記傾斜立板部５が見えたとしても、延設板部６はこの傾斜立板部５に隠れて見えなくなるように構成されている。
【００３９】
また、この延設板部６は、取付脚部３側へ水平突出する形状であるが、勾配のある屋根Ｒ上に設置された際には傾斜立板部５より上方に位置して高さが確保されていることから、この延設板部６による雪止め効果も期待できる。
【００４０】
尚、この延設板部６は、屋根Ｒ上面と完全な平行関係である必要はなく、傾斜立板部５の上端部から、屋根Ｒ勾配以上の傾斜角度であって且つ屋根Ｒ勾配の上方側に向かって傾斜立板部５の立ち上がり傾斜角度より緩い傾斜角度で延設突出するように構成されていても良い（要は、延設板部６が建物の周囲から軒先側を見上げた際に見えにくくなっていれば良い。）。
【００４１】
また、第二傾斜立板部７は、延設板部６の突出先端から前記傾斜立板部５の傾斜角度より緩い傾斜角度で立ち上がるように構成されている。更に詳しくは、この第二傾斜立板部７は、延設板部６の突出先端からこの延設板部６に対し３０〜４０度の角度をもって傾斜状態に立ち上がると共に、延設板部６に対し５ｍｍ程度の立ち上がり高さを有する形状に設定構成されている。
【００４２】
即ち、この第二傾斜立板部７は、前記傾斜立板部５より高い位置まで立ち上がるが、延設板部６を介して傾斜立板部５より更に屋根Ｒ勾配の上方側に引っ込んでおり、傾斜立板部５より立ち上がり傾斜角度も緩くなっているので、建物の周囲から屋根Ｒの軒先側を見上げた際にこの第二傾斜立板部７がほとんど見えず、見えても屋根Ｒ勾配と同調する方向に傾斜しているために目立たなくなるように構成されている。
【００４３】
このように本実施例の立板部12は、全高が、横葺屋根Ｒの接合用折り返し部８同士の接合段部の高さと略同等の高さとなる２０ｍｍ程度に設定構成されている。
【００４４】
また、本実施例の雪止め板４は、屋根Ｒ勾配と直交する方向に１０００ｍｍ程度の長さを有する長尺材に形成され、この長尺材の左右両側二箇所に前記取付脚部３が設けられた大型の雪止め金具Ａに構成した場合を示している（図１，図４参照）。
【００４５】
このように構成した本実施例の雪止め金具Ａは、雪止め板４を屋根Ｒ勾配の下方側（屋根Ｒの軒先側）に向けて、取付脚部３を屋根下地材２に取り付けることにより屋根Ｒ上に設置すると、雪止め板４（の立板部12）の高さが２０ｍｍ程度と非常に低く設定されており、且つ傾斜立板部５も延設板部６も第二傾斜立板部７も屋根Ｒ勾配の上方側（屋根Ｒの棟側）に引っ込んでいるため、建物の周囲から屋根Ｒの軒先を見上げても雪止め板４はほとんど見えず、見えても目立たなくなることが出願人の試作試験により確認されている。
【００４６】
従って、本実施例の雪止め金具Ａは、雪止め板４が屋根Ｒ上で目立たず、屋根Ｒの体裁が良好に保たれることとなる。
【００４７】
また、本実施例の雪止め板４（の立板部12）は、傾斜立板部５と延設板部６と第二傾斜立板部７とによって高さが確保できており、雪止め効果も強度も十分に確保された雪止め板４（の立板部12）を構成することが容易に可能である。
【００４８】
以上のように構成された本実施例の雪止め金具Ａは、単品で提供されても良いし、この雪止め金具Ａが屋根Ｒに設備された住宅として提供されても良い。
【実施例２】
【００４９】
本発明の具体的な実施例２について図６，図７に基づいて説明する。
【００５０】
本実施例は、雪止め板４の構成が前記実施例１とは異なる。
【００５１】
具体的には、本実施例の雪止め板４は、前記立板部12が、前記傾斜立板部５と前記延設板部６とから構成されている場合である。言い換えると、前記実施例１の雪止め板４から、第二傾斜立板部７が除かれた形状の雪止め板４に構成されている。
【００５２】
また、本実施例の雪止め板４（立板部12）は、全高が１５ｍｍ程度となるように設定構成されている。即ち、本実施例の立板部12は、前記実施例１のそれより高さがない分雪止め機能は若干劣るが、建物の周囲から屋根Ｒの軒先を見上げた際には、より一層見えにくく、目立たなくなるように構成されている。
【００５３】
他の構成は、前記実施例１と同様である。
【００５４】
尚、本発明は、実施例１，２に限られるものではなく、各構成要件の具体的構成は適宜設計し得るものである。
【符号の説明】
【００５５】
１  屋根材
２  屋根下地材
３  取付脚部
４  雪止め板
５  傾斜立板部
６  延設板部
７  第二傾斜立板部
Ａ  雪止め金具
Ｒ  屋根
【図１】
2018188798.tif 000003
【図２】
2018188798.tif 000004
【図３】
2018188798.tif 000005
【図４】
2018188798.tif 000006
【図５】
2018188798.tif 000007
【図６】
2018188798.tif 000008
【図７】
2018188798.tif 000009
【図８】
2018188798.tif 000010